(57)【特許請求の範囲】
【請求項１】
前軸の開口窓より突出したサイドボタンを押圧することにより、サイドボタンの足部がカム部材の傾斜した後端面を押圧し、カム部材の前進と連動してチャックを前進させて芯を繰り出すとともに、前軸の後部に消しゴムを長手方向後方に繰り出すための消しゴム繰出装置を設けた消しゴム繰出装置付サイドノック式シャープペンシルにおいて、予備の芯を収納した芯タンクが前記カム部材の貫通孔を挿通してカム部材の後端より突出するとともに、サイドボタンの内側に位置して前軸内に内蔵されていることを特徴とする消しゴム繰出装置付サイドノック式シャープペンシル。
【発明の詳細な説明】
【０００１】
【産業上の利用分野】
本発明は、サイドボタンを押圧することにより芯を繰り出すとともに、前軸の後部に消しゴム繰出装置を設けた消しゴム繰出装置付サイドノック式シャープペンシルに関する。
【０００２】
【従来の技術】
近年、棒状の消しゴムを繰り出す装置を具備したノック式シャープペンシルが、長い棒状の消しゴムが使用できるとの理由から大いに好まれている。
【０００３】
【発明が解決しようとする課題】
しかし、従来の棒状の消しゴムを具備したサイドノック式シャープペンシルは、サイドボタンの後方に芯タンクが位置しているために筆記先端より芯タンクの後端までの距離が長くなり、長い消しゴムを使用できないものであった。
本発明は、上記課題を解消する消しゴム繰出装置付サイドノック式シャープペンシルを提供することを目的とするものである。
【０００４】
【課題を解決するための手段】
上記目的を達成するために本発明は、前軸の開口窓より突出したサイドボタンを押圧することにより、サイドボタンの足部がカム部材の傾斜した後端面を押圧し、カム部材の前進と連動してチャックを前進させて芯を繰り出すとともに、前軸の後部に消しゴムを長手方向後方に繰り出すための消しゴム繰出装置を設けた消しゴム繰出装置付サイドノック式シャープペンシルにおいて、予備の芯を収納した芯タンクが前記カム部材の貫通孔を挿通してカム部材の後端より突出するとともに、サイドボタンの内側に位置して前軸内に内蔵されていることを特徴とするものである。
【０００５】
【実施例】
本発明の第１実施例を図面に基づいて説明する。図１、図２、図３および図４において、前軸１の前部には、芯２を軽く保持する芯ホルダー３を内蔵した口金４が螺合される。更に前軸１の前端１Ａと口金４の内段４Ａにより連結具５が挾持される。連結具５と口金４の係止段４Ｂとの間には締リング６が遊嵌され、該締リング６はチャック７の頭部７Ａに外嵌される。チャック７の後部にはチャックホルダー８が固着され、連結具５とチャックホルダー８の外段８Ａとの間に張架されたスプリング９によりチャック７が長手方向後方に付勢される。スプリング９により後方に付勢されたチャック７は締リング６に押圧されて閉じられ、芯２を強く保持する。前軸１の把持部は、エラストマーといったゴム等の弾性体１０が外嵌される。この弾性体１０の取付け手段としては種々考えられるが、例えば先ず前軸１を射出成型し、その後弾性体１０を射出成型する所謂２重成型といった手段が考えられる。図２に示したように、前軸１の中間部には開口窓１Ｂが形成され、該開口窓１Ｂを断面コ字状のサイドボタン１１の足部１１Ａが撓みながら挿入し、前軸１の開口窓１Ｂにサイドボタン１１が取り付けられる。サイドボタン１１はポリアセタール等の合成樹脂で形成される。前記チャックホルダー８にはパイプ材からなる芯タンク１２が固着され、該芯タンク１２はサイドボタン１１の足部１１Ａの内側に位置するとともに前軸１の後端より突出する。従って、口金４の先端である筆記先端より芯タンク１２の後端までの距離が極めて短く構成できる。図示してないが、パイプ状の芯タンクを直接チャックの後部に固着してもよい。芯タンク１２内には予備の芯２が収納されている。芯タンク１２の外側にはカム部材１３が外嵌されており、カム部材１３の傾斜された後端面１３Ａにサイドボタン１１の足部１１Ａが接触している。従って、サイドボタン１１を押圧することにより、サイドボタン１１の足部１１Ａがカム部材１３の傾斜した後端面１３Ａを押圧し、カム部材１３を前進させる。カム部材１３が前進すると、カム部材１３がチャックホルダー８の外鍔８Ｂに当接し、チャックホルダー８、芯タンク１２とともにチャック７が前進して芯２が繰り出される。カム部材１３はナイロン６６等のポリアミド樹脂で形成する。栓１４の前部１４Ａは切溝により分割され、該前部１４Ａが前軸１の後端に着脱可能に取付けられる。栓１４の後部１４Ｂは板状に突出して指で保持し易い形状になっている。この栓１４がないと、芯タンク１２内に収納された芯２が後述する消しゴム保持具１５に当接し、消しゴム１６を使用する為に消しゴム保持具１５を長手方向に摺動した時に押圧されて芯２が折損する恐れがある。前軸１の後部には細径部１Ｃが形成され、細径部１Ｃには円周に伸びた凹溝１Ｄが形成される。更に前軸１の細径部１Ｃには前記開口窓１Ｂの延長線上に後部外段１Ｅより後方に突出した突部１Ｆが形成される。該突部１Ｆは４５度に傾斜した２本の突部１Ｆによって形成される。前軸１の凹溝１Ｄには後軸１７の内方突起１７Ａが嵌め込まれ、前軸１の細径部１Ｃに後軸１７が着脱可能に連結される。しかも図５に示したように、後軸１７の前端に、前軸１の突部１Ｆと同形の切欠部１７Ｂを形成し、前軸１の突部１Ｆと後軸１７の切欠部１７Ｂを合わせて連結することにより、前軸１と後軸１７の円周方向の位置決めを行う。後軸１７には長手方向に伸びた摺動溝１７Ｃを形成し、更に摺動溝１７Ｃと交差する係止溝１７Ｄを長手方向等間隔に複数形成する。図６に示したように、消しゴム保持具１５には長手方向に伸びた２本の切溝１５Ａにより弾性片１５Ｂが形成され、該弾性片１５Ｂに後方が傾斜して突出した係止部１５Ｃと、後方が広がった案内溝１５Ｄと連通する固定穴１５Ｅが形成される。該消しゴム保持具１５は、後軸１７内に長手方向に摺動可能に内蔵される。この消しゴム保持具１５には、後軸１７の摺動溝１７Ｃから挿入された操作ボタン１８の足部１８Ａが、案内溝１５Ｄより導かれて固定穴１５Ｅに嵌め込まれる。消しゴム保持具１５の後部穴１５Ｆには長く伸びた棒状の消しゴム１６が装着されている。該消しゴム１６は、操作ボタン１８を後方に移動することによって消しゴム保持具１５とともに後退して後軸１７の後端より突出し、消しゴム保持具１５の係止部１５Ｃが後軸１７の係止溝１７Ｄに係止されることによって固定される。消しゴム１６を後軸１７内に没入させるには、操作ボタン１８を内側に押圧させて、後軸１７の係止溝１７Ｄから消しゴム保持具１５の係止部１５Ｃを外した状態で、操作ボタン１８を前方に移動させ、消しゴム保持具１５と消しゴム１６を前進させて行う。
【０００６】
次に芯タンク１２内に芯２を収納する場合を説明する。先ず後軸１７を回すと、後軸１７の切欠部１７Ｂが前軸１の傾斜された突部１Ｆに沿って後退し、前軸１の凹溝１Ｄから後軸１７の内方突起１７Ａが外れる。従って、単に後軸１７を後方に引き抜くのに比べて簡単に後軸１７を外すことができる。後軸１７を外した後、板状に突出した栓１４の後部１４Ｂを保持して前軸１より栓１４を外す。すると、前軸１の後端より突出した芯タンク１２の後部が現れる。この芯タンク１２の後端より芯２を挿入する。
【０００７】
以上説明した実施例においては、前軸１と後軸１７の円周方向が位置決めできるので、サイドボタン１１と操作ボタン１８の位置を合わせることができ、前軸１および後軸１７を周方向に回すことなくサイドボタン１１と操作ボタン１８が操作できる。
【０００８】
尚、本発明におけるサイドボタンによる芯の繰出手段としては上記実施例に限定されるものではなく、種々の手段が利用できる。
【０００９】
また、消しゴムの繰出装置は上記実施例に限定されるものではなく、例えば図７および図８に示した第２実施例のように、消しゴム保持具１１５の弾性片１１５Ｂに操作ボタン１１８を一体に形成し、該操作ボタン１１８を内側から後軸１７の摺動溝１７Ｃを挿通して突出させてもよい。
【００１０】
更に消しゴムの繰出手段としては、図９、図１０および図１１に示した第３実施例のように、後軸１１７を回動することによって行ってもよい。つまり、前軸１０１の太径部内孔１０１Ｇに内方に突出した突条部１０１Ｈを形成する。該前軸１０１の突条部１０１Ｈに内軸１９の凹溝１９Ａを嵌め込むとともに、前軸１０１の突部１０１Ｆに内軸１９の前部切欠部１９Ｂをかみ合わせ、前軸１０１に内軸１９を着脱可能でかつ回動不能に連結する。該内軸１９には長手方向に伸びた摺動溝１９Ｃが形成されている。前軸１０１の後端と内軸１９の後部外段１９Ｄとの間には後軸１１７が回動自在に設けられ、後軸１１７の内面には螺旋溝１１７Ｅが形成されている。前記内軸１９内には消しゴム保持具２１５が内蔵され、消しゴム保持具２１５の突起２１５Ｇが内軸１９の摺動溝１９Ｃを挿通して後軸１１７の螺旋溝１１７Ｅに挿入される。従って、後軸１１７を回すことにより、後軸１１７の螺旋溝１１７Ｅに沿って消しゴム保持具２１５の突起２１５Ｇが摺動し、消しゴム保持具２１５が長手方向に移動する。つまり消しゴム保持具２１５に設けられた棒状の消しゴム１６が後軸１１７の回動する方向によって後退あるいは前進する。
【００１１】
第３実施例において、芯タンク１２内に芯２を収納する場合には、先ず後軸１１７を後方に引っ張ることにより、内軸１９の凹溝１９Ａが前軸１０１の突条部１０１Ｈより外れる。すると、前軸１０１の後端より芯タンク１２の後部に嵌合された栓１１４が現れる。栓１１４は前部１１４Ａが切溝により分割され、該栓１１４の前部１１４Ａが芯タンク１２の後部と着脱可能に嵌合される。この栓１１４の板状の後部１１４Ｂを指で保持して芯タンク１２の後部より栓１１４を外す。そして芯タンク１２の後端より芯２を挿入する。
【００１２】
【発明の効果】
以上説明した本発明は、芯タンクがカム部材の貫通孔を挿通してカム部材の後端より後方に突出するとともにサイドボタンの内側に位置して前軸内に内蔵されるので、筆記先端より芯タンクの後端までの距離が短くなり、長い消しゴムを使用できる効果が奏せられるものである。
【図面の簡単な説明】
【図１】本発明の第１実施例を示す断面図である。
【図２】図１のＡ−Ａ線を示す拡大断面図である。
【図３】図１のＢ−Ｂ線を示す拡大断面図である。
【図４】図１の平面図である。
【図５】第１実施例において、前軸に後軸を連結する前の状態を示す主要部平面図である。
【図６】第１実施例の消しゴム保持具を示す平面図である。
【図７】本発明の第２実施例を示す主要部断面図である。
【図８】図７のＡ−Ａ線を示す拡大断面図である。
【図９】本発明の第３実施例を示す断面図である。
【図１０】図９のＡ−Ａ線を示す拡大断面図である。
【図１１】第３実施例の前軸の突部と内軸の前部切欠部を示す主要部断面図である。
【符号の説明】
１  前軸
１Ｂ  前軸１の開口窓
２  芯
７  チャック
１１  サイドボタン
１２  芯タンク
１６  消しゴム
１０１  前軸
【図１】
0003836175.tif 000002
【図２】
0003836175.tif 000003
【図３】
0003836175.tif 000004
【図４】
0003836175.tif 000005
【図５】
0003836175.tif 000006
【図６】
0003836175.tif 000007
【図７】
0003836175.tif 000008
【図８】
0003836175.tif 000009
【図９】
0003836175.tif 000010
【図１０】
0003836175.tif 000011
【図１１】
0003836175.tif 000012